(57)【特許請求の範囲】
【請求項１】
多数枚の矩形メモ用紙（３）を重ね合わせて１枚ずつ剥離可能に上記矩形の１辺（４）を相互に貼着したブロックメモに於て、
各上記矩形メモ用紙（３）が、
複数の円弧状線から成り全体が円形状であって、隣り合う該円弧状線の間に微小残部（５）が配設され、該微小残部（５）を切断して円形状メモ用紙（７）を取り出し可能な第１打抜き線（１）と、
該第１打抜き線（１）の一直径上に配設され上記円形状メモ用紙（７）を倒立Ｖ字形状に２つ折りするための折曲げ予定線部（６）と、
上記第１打抜き線（１）から切り離して取り出された上記円形状メモ用紙（７）を上記折曲げ予定線部（６）にて折り曲げた倒立Ｖ字形状の使用状態で上記折曲げ予定線部（６）から突出する突出片部（８）を形成する第２打抜き線（２）とを、備えており、
上記円形状メモ用紙（７）を折曲げ予定線部（６）にて折り曲げたシーソー運動立体物（Ｍ）が被載置面に接地する２つの接地円弧部の各々に配設される上記微小残部（５）を、０個又は１個もしくは２個に設定し、
上記第１打抜き線（１）の内部領域（Ｙ）にメモ記入予定用空白部（９）を有し、該空白部（９）を除いた部位に印刷が施されており、該印刷のデザインが、上記第１打抜き線（１）の内部領域（Ｙ）と外部領域（Ｚ）とを連続状として描かれていることを特徴とするブロックメモ。
【請求項２】
多数枚の矩形メモ用紙（３）を重ね合わせて１枚ずつ剥離可能に上記矩形の１辺（４）を相互に貼着したブロックメモに於て、
各上記矩形メモ用紙（３）が、
複数の円弧状線から成り全体が円形状であって、隣り合う該円弧状線の間に微小残部（５）が配設され、該微小残部（５）を切断して円形状メモ用紙（７）を取り出し可能な第１打抜き線（１）と、
該第１打抜き線（１）の左右方向一直径上に配設され上記円形状メモ用紙（７）を倒立Ｖ字形状に２つ折りするための折曲げ予定線部（６）と、
上記第１打抜き線（１）から切り離して取り出された上記円形状メモ用紙（７）を上記折曲げ予定線部（６）にて折り曲げた倒立Ｖ字形状の使用状態で上記折曲げ予定線部（６）から突出する突出片部（８）を形成する第２打抜き線（２）とを、備えており、
上記微小残部（５）が、左右各々の中心角度（α）に対応する範囲内のみに設けられ、該中心角度（α）を、45°≦α≦90°に設定し、
上記第１打抜き線（１）の内部領域（Ｙ）にメモ記入予定用空白部（９）を有し、該空白部（９）を除いた部位に印刷が施されており、該印刷のデザインが、上記第１打抜き線（１）の内部領域（Ｙ）と外部領域（Ｚ）とを連続状として描かれていることを特徴とするブロックメモ。
【発明の詳細な説明】
【技術分野】
【０００１】
本発明は、ブロックメモに関する。
【背景技術】
【０００２】
一般に、複数枚の矩形メモ用紙を重ね合わせて矩形の一辺を相互に貼着したメモ用紙がある（例えば、特許文献１参照）。
【０００３】
しかし、メモ用紙に伝言メモを記入して机上に置いて渡す場合、平面状なので、目立ちにくいという欠点があった。
【先行技術文献】
【特許文献】
【０００４】
【特許文献１】特開２００７−２２０５５号公報
【発明の概要】
【発明が解決しようとする課題】
【０００５】
解決しようとする課題は、メモ用紙に伝言メモを記入して机上に置いて渡す場合、平面状なので、目立ちにくい点である。
【課題を解決するための手段】
【０００６】
そこで、本発明に係るブロックメモは、多数枚の矩形メモ用紙を重ね合わせて１枚ずつ剥離可能に上記矩形の１辺を相互に貼着したブロックメモに於て、各上記矩形メモ用紙が、複数の円弧状線から成り全体が円形状であって、隣り合う該円弧状線の間に微小残部が配設され、該微小残部を切断して円形状メモ用紙を取り出し可能な第１打抜き線と、該第１打抜き線の一直径上に配設され上記円形状メモ用紙を倒立Ｖ字形状に２つ折りするための折曲げ予定線部と、上記第１打抜き線から切り離して取り出された上記円形状メモ用紙を上記折曲げ予定線部にて折り曲げた倒立Ｖ字形状の使用状態で上記折曲げ予定線部から突出する突出片部を形成する第２打抜き線とを、備えており、上記円形状メモ用紙を折曲げ予定線部にて折り曲げたシーソー運動立体物が被載置面に接地する２つの接地円弧部の各々に配設される上記微小残部を、０個又は１個もしくは２個に設定し、上記第１打抜き線の内部領域にメモ記入予定用空白部を有し、該空白部を除いた部位に印刷が施されており、該印刷のデザインが、上記第１打抜き線の内部領域と外部領域とを連続状として描かれているものである。
【０００７】
また、多数枚の矩形メモ用紙を重ね合わせて１枚ずつ剥離可能に上記矩形の１辺を相互に貼着したブロックメモに於て、各上記矩形メモ用紙が、複数の円弧状線から成り全体が円形状であって、隣り合う該円弧状線の間に微小残部が配設され、該微小残部を切断して円形状メモ用紙を取り出し可能な第１打抜き線と、該第１打抜き線の左右方向一直径上に配設され上記円形状メモ用紙を倒立Ｖ字形状に２つ折りするための折曲げ予定線部と、上記第１打抜き線から切り離して取り出された上記円形状メモ用紙を上記折曲げ予定線部にて折り曲げた倒立Ｖ字形状の使用状態で上記折曲げ予定線部から突出する突出片部を形成する第２打抜き線とを、備えており、上記微小残部が、左右各々の中心角度αに対応する範囲内のみに設けられ、該中心角度αを、45°≦α≦90°に設定し、上記第１打抜き線の内部領域にメモ記入予定用空白部を有し、該空白部を除いた部位に印刷が施されており、該印刷のデザインが、上記第１打抜き線の内部領域と外部領域とを連続状として描かれているものである。
【発明の効果】
【０００８】
本発明のブロックメモによれば、メモ用紙に伝言メモを記入したシーソー運動可能な立体形状として机上に置くことができる。このようなシーソー運動立体物として、目立たせて、伝言メモを渡す相手の注意を引き、確実に伝言を伝えることができる。さらに、円形状メモ用紙は、未使用状態下でバラバラにならないので、缶（ケース）に入れる必要がない。
【図面の簡単な説明】
【０００９】
【図１】本発明の第１の実施の形態を示す斜視図である。
【図２】平面図である。
【図３】使用状態を示す斜視図である。
【図４】第２の実施の形態を示す平面図である。
【図５】第３の実施の形態を示す平面図である。
【図６】第２打抜き線の変形例である。
【図７】第２打抜き線の変形例である。
【発明を実施するための形態】
【００１０】
以下、図示の実施の形態に基づいて本発明を詳説する。
図１及び図２は、本発明の第１の実施の形態を示す。このブロックメモは、多数枚（例えば100枚〜600枚）の矩形メモ用紙３が重ね合わせられて１枚ずつ剥離可能に上記矩形の１辺４を糊Ｎにて相互に貼着されている。
【００１１】
各矩形メモ用紙３が、微小残部５を残した円形状であって、微小残部５を切断して円形状メモ用紙７が取り出し可能な第１打抜き線１を備える。第１打抜き線１は、例えば、トムソン刃にて打抜いて形成することができる。微小残部５が、第１打抜き線１が配設される円上に均等な中心角度となるように、５箇所に設けられている。
【００１２】
第１打抜き線１の一直径上に配設され円形状メモ用紙７を倒立Ｖ字形状に２つ折りするための折曲げ予定線部６を備える。折曲げ予定線部６は、好ましくは、ハーフカットにて形成される。この場合、容易かつ美しく折曲げることができる。
【００１３】
第１打抜き線１から切り離して取り出された円形状メモ用紙７を折曲げ予定線部６にて折り曲げた倒立Ｖ字形状の使用状態（図３参照）で折曲げ予定線部６から突出する突出片部８を形成する円弧状第２打抜き線２を、備える。
【００１４】
第１打抜き線１の内部領域Ｙにメモ記入予定用空白部９を有し、空白部９を除いた部位（例えば図１〜図３に於ける網掛け部分）に印刷が施されている（図示省略）。空白部９は、突出片部８にわたって設けられている。第１打抜き線１の内部領域Ｙと外部領域Ｚとを連続状として描かれた印刷デザインが、施されている。
【００１５】
図３は、本発明のブロックメモの使用状態を示す。あらかじめ空白部９に伝言メモ11（図３の例では「至急連絡ください」）を記入した後、第１打抜き線１にて切り離して円形状メモ用紙７とし、円形状メモ用紙７を折曲げ予定線部６にて折り曲げられてシーソー運動可能な立体形状（シーソー運動立体物Ｍ）として、机上等に置いて使用される。指で折曲げ予定線部６を下方へ軽く押圧した後、指を離す等して、円形状メモ用紙７（シーソー運動立体物Ｍ）をゆらゆらとシーソー運動（揺動）させることができる。このようなシーソー運動立体物Ｍとして、目立たせて、伝言メモ11を渡す相手の注意を引き、確実に伝言を伝えることができる。
【００１６】
図４は、第２の実施の形態を示す。空白部９が突出片部８以外の部分に設けられている。その他の構成は、第１の実施の形態と同様である。
【００１７】
図５は、第３の実施の形態を示す。微小残部５が、左右各々の中心角度αに対応する範囲内のみに設けられている。中心角度αを、45°≦α≦90°に設定する。例えば、α＝60°に設定する。中心角度αを上記範囲に設定する場合、使用状態に於て、シーソー運動立体物Ｍとして、机等の被載置面に対して、微小残部５の一部から成る微小突出子が接触せず、円形状メモ用紙７（シーソー運動立体物Ｍ）をスムースにゆらゆらとシーソー運動（揺動）させることができる。その他の構成は、第１の実施の形態と同様である。
【００１８】
なお、本発明に於て、「円形状」には、樽型、小判型、レモン型等の一対の円弧部を有する円形以外の形状を含むものとする。
本発明は、設計変更可能であって、例えば、第２打抜き線２の形状が、円弧形状以外であっても良く、例えば、図６，図７に示すように、雲型、動物型、植物型等とするも好ましい。また、微小残部５の個数は増減自由であって、例えば、３つ、８つ等とするも良い。また、第１打抜き線１の外部領域Ｚに全体的にわたって印刷を施すも好ましい。
【００１９】
以上のように、本発明は、多数枚の矩形メモ用紙３を重ね合わせて１枚ずつ剥離可能に上記矩形の１辺４を相互に貼着したブロックメモに於て、各上記矩形メモ用紙３が、微小残部５を残した円形状であって、該微小残部５を切断して円形状メモ用紙７が取り出し可能な第１打抜き線１と、該第１打抜き線１の一直径上に配設され上記円形状メモ用紙７を倒立Ｖ字形状に２つ折りするための折曲げ予定線部６と、上記第１打抜き線１から切り離して取り出された上記円形状メモ用紙７を上記折曲げ予定線部６にて折り曲げた倒立Ｖ字形状の使用状態で上記折曲げ予定線部６から突出する突出片部８を形成する第２打抜き線２とを、備えているので、矩形メモ用紙３（円形状メモ用紙７）に伝言メモ11を記入したシーソー運動可能な立体形状として机上に置くことができる。このようなシーソー運動立体物Ｍとして、目立たせて、伝言メモ11を渡す相手の注意を引き（アイキャッチでき）、確実に伝言を伝えることができる。
【００２０】
さらに、円形状メモ用紙７は、未使用状態下でバラバラにならないので、缶（ケース）に入れる必要がなく、取り出しが容易であるとともに、安価に製造できる。さらに、（円形状メモ用紙７の）全体の打抜きまでは不要なので、容易に製造することができる。
【００２１】
また、上記第１打抜き線１の内部領域Ｙにメモ記入予定用空白部９を有し、該空白部９を除いた部位に印刷が施されているので、伝言メモ11を記入しやすい。
また、上記第１打抜き線１の内部領域Ｙと外部領域Ｚとを連続状として描かれた印刷デザインが、施されているので、円形状メモ用紙７の周縁部（第２打抜き線２近傍）の印刷を美しく見せることができる。
【符号の説明】
【００２２】
１  （円形状）第１打抜き線
２  第２打抜き線
３  矩形メモ用紙
４  １辺
５  微小残部（橋渡部）
６  折曲げ予定線部
７  円形状メモ用紙
８  突出片部
９  （メモ記入予定用）空白部
Ｍ  シーソー運動立体物
Ｙ  内部領域
Ｚ  外部領域
α  中心角度
【要約】
【課題】メモ用紙に伝言メモを記入して机上に置いて渡す場合、目立たせて伝言メモを渡す相手の注意を引き、確実に伝言を伝えることができるブロックメモを提供する。
【解決手段】多数枚の矩形メモ用紙３を重ね合わせて１枚ずつ剥離可能に矩形の１辺４を相互に貼着したブロックメモに於て、各矩形メモ用紙３が、微小残部５を残した円形状であって、微小残部５を切断して円形状メモ用紙が取り出し可能な第１打抜き線１と、第１打抜き線１の一直径上に配設され円形状メモ用紙を倒立Ｖ字形状に２つ折りするための折曲げ予定線部６と、第１打抜き線１から切り離して取り出された円形状メモ用紙を折曲げ予定線部６にて折り曲げた倒立Ｖ字形状の使用状態で折曲げ予定線部６から突出する突出片部８を形成する第２打抜き線２とを、備えている。
【選択図】図１【図１】
0005963340.tif 000002
【図２】
0005963340.tif 000003
【図３】
0005963340.tif 000004
【図４】
0005963340.tif 000005
【図５】
0005963340.tif 000006
【図６】
0005963340.tif 000007
【図７】
0005963340.tif 000008